(57)【要約】【課題】  照明装置全体を薄くしてもランプイメージが出ない面状発光体を使用し、該面状発光体と取付部材を一体的に構成することで、装置全体の薄型化が可能な照明装置を提供すること。【解決手段】面状発光体２と、面状発光体２を取り付ける取付部材３と、これらを覆う拡散シート４とを備える。取付部材３は、単数又は複数の面状発光体２を固定し、一体化する取付パネル４０を有する。【選択図】    図５
2012238397.tif 000002
【特許請求の範囲】
【請求項１】
面状発光体と、前記面状発光体を取り付ける取付部材と、これらを覆う拡散シートとを備え、前記取付部材は、単数又は複数の前記面状発光体を固定し、一体化する取付パネルを有する照明装置。
【発明の詳細な説明】
【技術分野】
【０００１】
本発明は、照明装置に関し、さらに詳しくは、面状発光体と、取付部材及び拡散シートを備えた照明装置に関する。
【背景技術】
【０００２】
上述の如き照明装置として、例えば特許文献１及び特許文献２に記載の如きものが知られている。しかし、これらの照明装置の光源は蛍光灯が用いられ、装置全体を薄くすると蛍光灯のランプイメージが浮き出るため、照明装置全体の薄型化が困難であった。
【０００３】
また、特許文献３には、むらのない一様な面照明の実現のため、拡散部材を二重に設けた照明装置が記載されている。しかし、この照明装置においても光源として蛍光灯が天井に直に配列され、照明装置全体の薄型化に問題があった。
【先行技術文献】
【特許文献】
【０００４】
【特許文献１】特開２００６−１０８０７９号公報
【特許文献２】特開２０１１−５４４９３号公報
【特許文献３】特開２０１１−４８９３４号公報
【発明の概要】
【発明が解決しようとする課題】
【０００５】
かかる従来の実情に鑑みて、本発明は、照明装置全体を薄くしてもランプイメージが出ない面状発光体を使用し、該面状発光体と取付部材を一体的に構成することで、装置全体の薄型化が可能な照明装置を提供することを目的とする。
【課題を解決するための手段】
【０００６】
上記目的を達成するため、本発明に係る照明装置の特徴は、面状発光体と、前記面状発光体を取り付ける取付部材と、これらを覆う拡散シートとを備え、前記取付部材は、単数又は複数の前記面状発光体を固定し、一体化する取付パネルを有することにある。
【発明の効果】
【０００７】
上記本発明に係る照明装置の特徴によれば、照明装置全体を薄くしてもランプイメージが出ない面状発光体を使用し、該面状発光体と取付部材を一体的に構成することで、装置全体の薄型化が可能な照明装置を提供することが可能となった。
【０００８】
本発明の他の目的、構成及び効果については、以下の発明の実施の形態の項から明らかになるであろう。
【図面の簡単な説明】
【０００９】
【図１】本発明に係る照明装置の正面図である。
【図２】本発明に係る照明装置の右側面図である。
【図３】本発明に係る照明装置の平面図である。
【図４】本発明に係る照明装置の底面図である。
【図５】本発明に係る照明装置の内部構造を省略したＡ−Ａ’断面図である。
【図６】本発明に係る照明装置の内部構造を省略したＢ−Ｂ’断面図である。
【図７】本発明に係る照明装置のＣ−Ｃ’部分拡大断面図である。
【図８】本発明に係る照明装置の拡散シートと拡散材を外した底面図である。
【図９】本発明に係る照明装置の枠体と面状発光体の関係を示した模式図である。
【発明を実施するための形態】
【００１０】
次に、適宜添付図面を参照しながら、本発明をさらに詳しく説明する。
本発明に係る照明装置１は、図５に示すように、大略、複数の面状発光体２と、面状発光体２を取り付ける取付部材３及びこれらを覆う拡散シート４を備える。この照明装置１は、例えばマトリックス状に配置され、天井等に公知の支持手段を用いて取り付けられる。拡散シート４には、例えばガラスクロス等の無機繊維製のシート状物が用いられる。
【００１１】
面状発光体２は、図５に示すように、光源２１と、反射部２２及び拡散材２３を備える。
光源２１として図示しない電源に接続された発光ダイオード（ＬＥＤ）を使用する。複数のＬＥＤ２１は後述する取付パネル４０に一定間隔をおいて固定される。反射部２２は開口部を有する略直方体であり、開口部に対向する面に孔２２ｂを有する。この孔２２ｂ内にＬＥＤ２１が存在するように、ＬＥＤ２１の周囲を反射部２２で覆い、開口部を拡散材２３にて閉じる。ＬＥＤ２１から発した直進性のある光は反射部２２にて繰り返し反射する。そして、多孔性の拡散材２３の孔を通過し拡散する。よって、反射部２２及び拡散材２３は、その相乗効果により直進性のあるＬＥＤの光を面状かつ均一に発光させる。その結果、面状発光体２を覆う拡散シート４に接近してもＬＥＤ２１のランプイメージが出ないため、照明器具全体を薄くすることが可能となる。
【００１２】
取付部材３は、枠体３０及び取付パネル４０を有する。
図３に示すように、枠体３０は平面視略方形に形成されている。この枠体３０の下部は、図７に示すように、枠体３０の内側へ傾斜する傾斜面３１と、傾斜面３１の下端部３１ａから立ち上がる外側面３２とからなる略三角形状を呈している。外側面３２の上部には、拡散シート４を固定する凹部３３が形成されている。拡散シート４は、傾斜面３１の下端部３１ａで外側面３２に沿うように屈曲され、凹部３３においてコの字型形状のスペーサー１００にて押圧され、その上からねじ等の固定手段１０１により固定されることで枠体３０に張設される。
【００１３】
図３，７に示すように、取付パネル４０は、開口部を有する略直方体形状であり、該開口部周囲には直角に折り曲げられた折曲部４１が設けられている。折曲部４１は平坦面を形成し、図示しないボルトやリベット（以下、「ボルト等」）によって枠体３０に固定される。また、開口部と対向する面に複数のＬＥＤ２１が一定間隔をおいて設置される。
【００１４】
ここで、面状発光体２と取付部材３の一体化について説明する。
面状発光体２の反射部２２は、枠体３０に固定された取付パネル４０に、ボルト等によって固定される。これにより、面状発光体２と取付部材３は一体化される。取付パネル４０に面状発光体２を取り付けた際のこれらの厚みは、枠体３０の厚みより薄くなるように構成されている。したがって、照明装置全体の薄型化が可能となる。
【００１５】
面状発光体２は、ＬＥＤ２１の周囲を開口部を有する略直方体の反射部２２にて覆われ、開口部を拡散材２３にて閉じているため、拡散材２３において面状かつ均一に発光する。しかし、反射部２２の側面２２ａにおいては、ＬＥＤ２１の光が遮断される。よって、図９（ａ）に示すように、拡散材２３の下端部２３ａと枠体３０の傾斜面３１の上端部３１ｂは、近接するように設置する必要がある。この場合、拡散シート４の端部まで影を生じずにＬＥＤの光Ｌが届く。図９（ｂ）に示すように、拡散材の下端部２３ａを枠体３０の傾斜面３１の上端部３１ｂよりも拡散シート４側に配置した場合、反射部の側面２２ａがＬＥＤの光を遮断し、拡散シート４の端部に影Ｓが発生する。
【００１６】
面状発光体２と取付部材３の位置関係を上記の通り調整することで、拡散シート４の端部まで影を生じずにＬＥＤ２１の光Ｌを届かせることが可能となり、均一な発光が可能となる。
【００１７】
最後に、本発明の他の実施形態の可能性について言及する。なお、上述の実施形態と同様の部材には同一の符号を附してある。
拡散シート４は、適度な透光性を備え、枠体３０に張設可能な柔軟性、耐屈曲性を備えるものであればよく、上記実施形態に限られるものではない。例えば、網状に形成したシートであってもよい。さらに耐熱性、不燃性、防汚性を備えていることが望ましい。
【００１８】
上記各実施形態において、照明装置１をマトリックス状に配置して天井を構成したが、照明装置１の配置は適宜変更可能である。また、照明装置全体を天井に埋め込むことも可能である。
【００１９】
上記実施形態において、面状発光体２は１つの取付部材３に対して４つ設置した。しかし、面状発光体２はさらに増加して設置してもよい。また、面状発光体２を１つにしてもよく、個数の増減は取付箇所に応じて適宜変更可能である。
【００２０】
上記実施形態において、面状発光体２は略方形に設置した。しかし、矩形に配置してもよく、配置の形状は取付箇所に応じて適宜変更可能である。
上記実施形態において、枠体３０を略方形に形成したが、形状は方形に限られるものではなく、矩形でもよい。
【００２１】
また、照明装置１が配置されるのは天井に限られない。壁、床等であってもよく、照明装置１が配置可能な箇所であればよい。
【産業上の利用可能性】
【００２２】
本発明は、さまざまな照明パターンを有する照明器具として利用することができる。例えば、ギャラリー等の展示会場等の照明や、ショウルームの演出等に利用することができる。
【符号の説明】
【００２３】
１：照明装置、２：面状発光体、３：取付部材、４：拡散シート、２１：光源（ＬＥＤ）、２２：反射部、２２ａ：側面、２２ｂ：孔、２３：拡散材、２３ａ：下端部、３０：枠体、３１：傾斜面、３１ａ：下端部、３１ｂ：上端部、３２：外側面、３３：凹部、４０：取付パネル、４１：折曲部、１００：スペーサー、１０１：固定手段、Ｌ：ＬＥＤの光、Ｓ：影
【図１】
2012238397.tif 000003
【図２】
2012238397.tif 000004
【図３】
2012238397.tif 000005
【図４】
2012238397.tif 000006
【図５】
2012238397.tif 000007
【図６】
2012238397.tif 000008
【図７】
2012238397.tif 000009
【図８】
2012238397.tif 000010
【図９】
2012238397.tif 000011